(57)【要約】      （修正有）【課題】吹き出される温風に外気を混合させ温度調節が可能なヘアードライヤーを提供する。【解決手段】内部に熱源となるヒーター１８と、ファン２０ａと、ファンを駆動させるモーター１９とが備えられ、一端に通気口２１及び他端に吸気口１６を有する本体ケース１３と、本体ケース１３に装着されたノズル２５を有するヘアードライヤーであって、ノズル２５は、内部に空洞２５ｅを有する筒状体で形成され、一方が吹き出し口２９及び他方が本体ケース１３の通気口と接続される接続口３０となる開口をそれぞれ有し、筒状体の内面及び内面に対応する外面には、筒状体の長手方向に沿って、複数本の溝からなる溝部２８が形成されている。【選択図】図２
2012019866.tif 000002
【特許請求の範囲】
【請求項１】
内部に熱源となるヒーターと、ファンと、前記ファンを駆動させるモーターとが備えられ、一端に通気口及び他端に吸気口を有する本体ケースと、前記本体ケースに装着されたノズルを有するヘアードライヤーであって、
前記ノズルは、内部に空洞を有する筒状体で形成され、一方が吹き出し口及び他方が前記本体ケースの通気口と接続される接続口となる開口をそれぞれ有し、前記筒状体の内面及び前記内面に対応する外面には、前記筒状体の長手方向に沿って、複数本の溝からなる溝部が形成されたことを特徴とする。ヘアードライヤー。
【請求項２】
前記ノズルは前記本体ケースに着脱自在に装着されていることを特徴とする請求項１に記載のヘアードライヤー。
【請求項３】
前記吹き出し口は楕円形状であることを特徴とする請求項１に記載のヘアードライヤー。
【請求項４】
前記溝部は前記筒状体の側面側に形成されていることを特徴とする請求項１に記載のヘアードライヤー。
【請求項５】
前記溝部は、前記筒状体の吹き出し口側の側面側の中央部分に最も長い溝が形成され、
前記中央部分から上方及び下方に向かうにしたがって、徐々に短い溝が形成されていることを特徴とする請求項４に記載のヘアードライヤー。
【請求項６】
前記溝部は平面視で半円形状、半楕円形状又は三角形状のいずれかであることを特徴とする請求項５に記載のヘアードライヤー。
【請求項７】
前記ノズルの前記溝部が形成されていない上面及び下面は、前記空洞に向かって湾曲状の突起が形成されていることを特徴とする請求項４〜６のいずれかに記載のヘアードライヤー。
【発明の詳細な説明】
【技術分野】
【０００１】
この発明は、ヘアードライヤーに関し、詳しくはヘアードライヤーから吹き出される温風を外気と混合させることで温度を調節すると共に、吹き出される温風を整流し、毛髪や頭皮に損傷を与えること抑制すると共に髪の毛のセットを行いやすくしたヘアードライヤーに関する。
【背景技術】
【０００２】
ヘアードライヤーは、ヘアードライヤー内に設けられたヒーターによって加熱された温風により整髪等を行うものであるが、この温風が高温となりすぎると毛髪や頭皮等に損傷を与えるおそれがあるため、ヘアードライヤーの吹き出し口から吹き出される温風の温度を調節する必要がある。
【０００３】
例えば、下記特許文献１に開示されているヘアードライヤーは、本体に形成した送風管の吹き出し口の周壁に複数の外気導入空間が開設されている。下記特許文献１に開示されたヘアードライヤーによれば、外気導入空間から外気を送風管内に導き、内部の熱気流と混合させて吹き出される温風の温度を調整することができ、ニクロム線の熱による早期間の温度上昇を緩和し、頭髪の損傷を防ぐことができるとされている。
【０００４】
また、下記特許文献２に開示されているヘアードライヤーは、ファン、モーター、ヒーターユニットなどを収容する本体ケースの外面に外気導入通路を設け、その出口がヘアードライヤーの吹き出し口の周囲に開口されている。下記特許文献２に開示されたヘアードライヤーによれば、ファンで生起した乾燥風のベンチュリー作用によって外気導入通路から連続的に導入した外気を乾燥風と共に送出供給でき、このとき導入される外気は、過熱された乾燥風に比べて相対湿度が高いので、髪に適度の湿気を与えながら髪の乾燥や整髪を行うことができるとされている。
【先行技術文献】
【特許文献】
【０００５】
【特許文献１】実開昭６３−０８３１０４号広報
【特許文献２】特開２００６−０５１１８１号公報
【発明の概要】
【発明が解決しようとする課題】
【０００６】
上記特許文献１に開示されているヘアードライヤーによれば、外気を導入して気流の温度を調節することはできるが、外気を導入する外気導入空間はヘアードライヤーの本体に形成されており、この外気導入孔を通して外気を導入するため、本体の構造が複雑になっている。また、上記特許文献１には、同様の作用効果を奏することができる他の構成も開示されているが、これらの構造も本体に設けられているため、同様に本体の製造が複雑となり、製造コストが増加してしまうという課題がある。
【０００７】
また、上記特許文献２に開示されているヘアードライヤーにおいても、外気導入通路から外気を混入させることができるが、この外気導入通路の構成はヘアードライヤーの本体ケースに設けられており、本体ケースの構造が複雑となっている。さらに、上記特許文献２には、外気導入通路を設けるために、別の部品として外ケースを設けることも示されているが、このような構成を採用すると、部品点数が増え、構造は複雑となり、製造コストも増加してしまうこととなる。
【０００８】
さらに、上記特許文献１及び２に開示されているヘアードライヤーでは、ファンから供給される加熱空気の流れに外気を混入して吹き出されるため、吹き出される温風は強い乱流となっており、使用者が髪の毛のセットを行い難くなるという課題もある。
【０００９】
そこで、本願の発明者は、上記の課題を解決すべく種々検討を行った結果、ヘアードライヤーの本体に装着されるノズルに波形状の溝を形成し、このノズルをヘアードライヤー本体の吹き出し口に装着させることにより、吹き出される温風と外気を有効に混合させることができ、さらに、吹き出される温風を整流させることができ、使用者が髪の毛のセットを行いやすくなることを見出し、本発明を完成するに至ったものである。
【００１０】
すなわち、本発明は、ヘアードライヤーの本体に装着されるノズルに溝を設けることで、吹き出される温風を適度な温度に調整することができると共に整流することができ、また、使用者が髪の毛のセットを行いやすくなるヘアードライヤーを提供することを目的とするものである。
【課題を解決するための手段】
【００１１】
上記目的を達成するため、本発明の請求項１に係るヘアードライヤーは、内部に熱源となるヒーターと、ファンと、前記ファンを駆動させるモーターとが備えられ、一端に通気口及び他端に吸気口を有する本体ケースと、前記本体ケースに装着されたノズルを有するヘアードライヤーであって、前記ノズルは、内部に空洞を有する筒状体で形成され、一方が吹き出し口及び他方が前記本体ケースの通気口と接続される接続口となる開口をそれぞれ有し、前記筒状体の内面及び前記内面に対応する外面には、前記筒状体の長手方向に沿って、複数本の溝からなる溝部が形成されたことを特徴とする。
【００１２】
また、本発明の請求項２に係るヘアードライヤーは、請求項１のヘアードライヤーにおいて、前記ノズルは前記本体ケースに着脱自在に装着されていることを特徴とする。
【００１３】
また、本発明の請求項３に係るヘアードライヤーは、請求項１のヘアードライヤーにおいて、前記吹き出し口は楕円形状であることを特徴とする。
【００１４】
また、本発明の請求項４に係るヘアードライヤーは、請求項１のヘアードライヤーにおいて、前記溝部は前記筒状体の側面側に形成されていることを特徴とする。
【００１５】
また、本発明の請求項５に係るヘアードライヤーは、請求項４のヘアードライヤーにおいて、前記溝部は、前記筒状体の吹き出し口側の側面側の中央部分に最も長い溝が形成され、前記中央部分から上方及び下方に向かうにしたがって、徐々に短い溝が形成されていることを特徴とする。
【００１６】
また、本発明の請求項６に係るヘアードライヤーは、請求項５のヘアードライヤーにおいて、前記溝部は平面視で半円形状、半楕円形状又は三角形状のいずれかであることを特徴とする。
【００１７】
また、本発明の請求項７に係るヘアードライヤーは、請求項４〜６のいずれかのヘアードライヤーにおいて、前記ノズルの前記溝部が形成されていない上面及び下面は、前記空洞に向かって湾曲状の突起が形成されていることを特徴とする。
【発明の効果】
【００１８】
本発明の請求項１に係るヘアードライヤーによれば、ノズルの内面に形成された溝部分を通過する際、温風は整流されるので溝部が形成されていない場所よりも速度が向上する。その結果、ノズルの内面に溝部が形成されている部分では、ノズルの出口部分でベンチュリー効果が強く生じるため、周囲の空気を巻き込み、周囲の冷たい空気がより多く混合され、吹き出される温風の温度を下げることができる。さらに、溝部が形成されたノズルの内面に対応する外面にも溝部が形成されているので、外気は、この外面の溝部に沿って流れ、円滑にノズルから吹き出される温風に混合され、より効率的に温風の温度を下げることができると共に、吹き出される温風が乱流となることが抑制され、整流された状態で吹き出させるようになる。
【００１９】
その結果、本発明の第１の態様に係るヘアードライヤーによれば、ヘアードライヤーの本体ケースの通気口からノズル内に送出された温風がノズルの吹き出し口から吹き出される際に、ノズルに形成された溝部により温度の低い外気が充分に混合され、温風の温度が冷やされて適温の温風となるため、毛髪や頭皮に損傷を与えることを抑制することができる。また、高温に熱せられた空気は乾燥しているので、ある程度湿気を有する外気が混合されることで、毛髪が乾燥しすぎることが抑制され、潤いをあたえることもできる。また、本発明の第１の態様に係るヘアードライヤーによれば、本体ケースからノズル内に送出される温風の温度を低く調整する特別な構造を設ける必要がないので、構造を簡単にでき、また、安価に提供することができ、さらに、ノズルの外面に意匠としても機能する溝部が形成されることにより、ノズルのみならずヘアードライヤー全体の外観に美観を与えることができる。
【００２０】
また、本発明の請求項２に係るヘアードライヤーによれば、ノズルは本体ケースに着脱自在に装着されるので、掃除や交換が容易となる。
【００２１】
また、本発明の請求項３に係るヘアードライヤーによれば、ノズルは楕円形状に形成されているので、温風を絞って吹き出すことができるから勢いのよい温風を吹き出すことができるようになる。
【００２２】
また、本発明の請求項４に係るヘアードライヤーによれば、溝部を側面側のみに形成することにより、溝部が形成されていない部分を通過して吹き出される外気の混合割合が少なく、風速が遅いが温度が高い温風と、溝部が形成されている部分を通過して吹き出される外気の混合割合が大きく、風速が速く、整流された温度が低い温風と、を吹き出させることができる。そのため、本発明のヘアードライヤーによれば、溝部の形成割合を変えることにより、適度に温度調整された温風を吹き出すことができるようになる。
【００２３】
また、本発明の請求項５に係るヘアードライヤーによれば、溝部から吹き出される温風において、中央部分とその上下部分とでも風速差を出すことができるので、さらに外気を混合させることができる。
【００２４】
また、本発明の請求項６に係るヘアードライヤーによれば、溝部の形状が容易で設計がしやすくなる。
【００２５】
また、本発明の請求項７に係るヘアードライヤーによれば、ノズルの上面及び下面に形成された湾曲状の突起により、送出される温風を整流させることができるので、温度調節と共に整流された温風を送出できるヘアードライヤーを提供することができる。
【図面の簡単な説明】
【００２６】
【図１】本発明に係るヘアードライヤーの一実施形態の斜視図である。
【図２】図１のヘアードライヤーのII−II線での断面図である。
【図３】ノズルの拡大斜視図である。
【図４】図４Ａはノズルの正面図であり、図４Ｂはノズルの側面図であり、図４Ｃはノズルの側面図であり、図４Ｄはノズルの平面図であり、図４Ｅは図４ＡのVIＥ−VIＥ線での断面図である。
【図５】図５Ａはノズルに流れる温風及び外気を示した斜視図であり、図５Ｂはノズルに流れる温風及び外気を示した平面図である。
【発明を実施するための形態】
【００２７】
以下、図面を参照して、本発明の実施形態を説明する。但し、以下に示す実施形態は、本発明の技術思想を具体化するためのヘアードライヤーの一例を示すものであって、本発明をこのヘアードライヤーに特定することを意図するものではなく、本発明は特許請求の範囲に含まれるその他の実施形態のものにも等しく適用し得るものである。
【００２８】
図１に示すように、実施形態にかかるヘアードライヤー１０は、筒型をした本体１１とこの本体１１の下面の後端部近くに取り付けられたハンドル１２を備え、ヘアードライヤー１０の温風が送出される部分にはノズル２５が装着されている。ハンドル１２は、本体１１の下面から突出した連結部を支点にして軸支され、折りたたみ可能に本体１１に取り付けられている。また、ハンドル１２には電源スイッチ１４が設けてある。
【００２９】
ヘアードライヤー１０の本体１１には、本体ケース１３が装着されており、本体ケース１３は、前方部分１３ａと後方部分１３ｂからなり、本体ケース１３の後方部分１３ｂには後部カバー１５が取り付けられ、本体ケース１３の前方部分１３ａにはノズル２５が装着されている。本体ケース１３の前方部分１３ａ、後方部分１３ｂ及びノズル２５はポリカーボネートや耐熱性ＡＢＳ樹脂等の耐熱性透明プラスチックの成型品により構成される。なお、本体ケース１３の前方部分１３ａは縦断面の輪郭が前方に向け先細になった略円筒形であり、本体ケース１３の後方部分１３ｂは、短い円筒状で前方部分１３ａに突き合わせて接合されている。
【００３０】
本体ケース１３の後方部分１３ｂの後端には後部カバー１５が取り付けられ、この後部カバー１５は、外気を導入するための複数の孔を設けた吸気口１６が形成され、例えば多数の蜂の巣状の孔を備えた金属板を円形ドーム状に形成されている。本体ケース１３の前方部分１３ａの前端には通気口２１が形成され、この通気口２１は、本体ケース１３からの風の送出口となっている。なお。この通気口２１にはノズル２５が回動自在に取り付けられているが、ノズル２５の詳細な構成については後述する。
【００３１】
この本体１１の本体ケース１３の内部には、図２に示すように、熱風発生室１７が配置されている。熱風発生室１７は円筒形に形成されており、その外壁１７ａの中に絶縁外筒１７ｂが配置され、熱風発生室１７の先端の外部へ熱風を吹き出す通気口２１部分には吹き出し口グリル（図示省略）が取り付けられている。絶縁外筒１７ｂの内部には、ニクロム線などのヒーター１８が収納され、さらにヒーター１８の後方にはモーター１９が収納され、さらにその後には送風室２０が設けられており、モーター１９に連結された風を送るファン２０ａが設けられている。送風室２０ではモーター１９によりファン２０ａが回転され、後部カバー１５の吸気口１６から取り込んだ外気が熱風発生室１７に送りこまれる。
【００３２】
図２に示すように、熱風発生室１７には複数枚の放熱板２２が、モーター１９を収納する絶縁筒２３から前部にかけて放射状に等間隔で本体１１の軸方向に配置して設けられ、各放熱板２２の外縁をつなぐようにニクロム線など（図示せず）が巻かれている。モーター１９に連結された送風室２０内のファン２０ａの風は、放熱板２２の間を前方のノズル２５に向かって送られる。
【００３３】
次に、図３、図４を参照して、実施形態にかかるヘアードライヤー１０のノズル２５の詳細な構成について説明する。
【００３４】
図３及び図４に示すように、本実施形態のノズル２５は、内部に空洞２５ｅが形成され、上面２５ａ、下面２５ｂ及び両側面２５ｃ及び２５ｄで構成された筒状体で形成され、一方には温風が吹き出される吹き出し口２９が楕円形状に形成され、他方には本体ケース１３の通気口２１と接続される円形の接続口３０が形成されている。なお、この接続口３０の周囲には、本体ケース１３と当接される接続部３０ａが形成されている。また、ノズル２５の両側面２５ｃ及び２５ｄの内面２６及びこの内面２６対応する外面２７には、ノズル２５の長手方向、すなわち、温風が吹き出される方向に沿って、複数本の溝からなる内面溝部２８ａ及び外面溝部２８ｂがそれぞれ形成されている。なお、内面溝部２８ａ及び外面溝部２８ｂを合わせて単に溝部２８ともいう。
【００３５】
この溝部２８はノズル２５の楕円形状の径の緩やかな面、すなわち、両側面２５ｃ及び２５ｄ側に対向するようにそれぞれ形成されている。また、この溝部２８は、平面視で吹き出し口２９側に開いた半楕円形状に形成され、ノズル２５の吹き出し口２９側の両側面側２５ｃ及び２５ｄの中央部分に最も長い溝が形成され、中央部分から上方及び下方に向かうにしたがって、徐々に短い溝が形成されている。なお、溝部２８の形状はこれに限らず、平面視で半円形状、三角形状、方形状又は矩形状等に形成することができる。一方、ノズル２５の上面２５ａ及び下面２５ｂには、空洞２５ｅ側に向かって湾曲した突起３１がそれぞれ形成されている。
【００３６】
次に、図５を参照して、実施形態のノズル２５を使用したときの温風及び外気の流れについて説明する。なお、図５では、説明のためノズル２５のみの状態を示しているが、使用するときは図１に示した状態で使用する。
【００３７】
まず、本体ケース１３内のファン２０ａの回転により発生した風は、ヒーター１８で加熱され温風３２となってノズル２５へと向かって進む。その後、温風３２がノズル２５を通過する際、ノズル２５の両側面２５ｃ及び２５ｄの内面２６に形成されたそれぞれの内面溝部２８ａと接触した温風３２は、内面溝部２８ａに沿って進むことで整流され、吹き出される方向に向かって直進し、風速を上げて吹き出されることとなる。このとき、ノズル２５の吹き出し口２９の出口部分では、この直進して進む風速の上がった温風３２が吹き出されることにより、この温風３２に従来よりもベンチュリー効果が強く生じるため、温風３２がノズル２５の周囲にあるより多くの外気３３を引き込む力が発生し、この外気３３が温風３２に混合されることとなる。その結果、ノズル２５から吹き出される温風３２に周囲の外気３３がより多く混合され、吹き出される温風３２の温度を下げることができるようになる。
【００３８】
さらに、ノズル２５の内面２６に対応する外面２７の両側面２５ｃ及び２５ｄにはそれぞれ外面溝部２８ｂが形成されている。この外面溝部２８ｂが形成されていることにより、吹き出し口２９から吹き出される温風３２に外気３３が混合されるとき、この外面溝部２８ｂに沿って流れ込む。そのため、流れ込む外気３３も整流され、また風速も上がるので、多くの外気３３が効率よく混合されるようになる。したがって、実施形態のヘアードライヤー１０では、吹き出される温風３２に外気３３を混合させ温風３２の温度を調節することができると共に、吹き出される温風３２の流れる方向が整った整流として吹き出させることができる。
【００３９】
なお、実施形態のヘアードライヤー１０には、ノズル２５の上面２５ａ及び下面２５ｂに空洞２５ｅ側へ向かって湾曲した突起３１がそれぞれ形成されている。この突起３１が形成されていることにより、この突起３１が形成された部分から吹き出される温風３２は、吹き出し口２９と突起３１との間を通過することで整流されて吹き出されることとなり、より整流の効果を高めることができる。
【００４０】
なお、実施形態のヘアードライヤーは、ニクロム線を利用した電熱式のヘアードライヤーを例として説明したが、これに限らず、他の熱源による加熱方式のヘアードライヤーにも適用できる。
【００４１】
また、実施形態のヘアードライヤーには、上記構成に加え、除菌作用のある例えば銀イオンやマイナスイオンを発生させる機構を備えるようにしてもよい。
【符号の説明】
【００４２】
１０：ヘアードライヤー
１１：本体
１２：ハンドル
１３：本体ケース
１３ａ：前方部分
１３ｂ：後方部分
１４：電源スイッチ
１５：後部カバー
１６：吸気口
１７：熱風発生室
１７ａ：外壁
１７ｂ：絶縁外筒
１８：ヒーター
１９：モーター
２０：送風室
２０ａ：ファン
２１：通気口
２２：放熱板
２３：絶縁筒
２５：ノズル
２５ａ：上面
２５ｂ：下面
２５ｃ、２５ｄ：側面
２５ｅ：空洞
２６：内面
２７：外面
２８：溝部
２８ａ：内面溝部
２８ｂ：外面溝部
２９：吹き出し口
３０：接続口
３０ａ：接続部
３１：突起
３２：温風
３３：外気
【図１】
2012019866.tif 000003
【図２】
2012019866.tif 000004
【図３】
2012019866.tif 000005
【図４】
2012019866.tif 000006
【図５】
2012019866.tif 000007